(57)【要約】【課題】温度変動に伴うカードの抜け出しを防止する。【解決手段】カードコネクタは、メディアカードを収容し、収容されたメディアカードが有するカード端子に接続するコネクタ端子を有する収容部と、収容部内に設けられ、収容部に収容されたメディアカードを保持する固定部材とを備え、固定部材は、収容部に収容されたメディアカードの互いに対向した２つの面のそれぞれの面に対峙した一対の腕部と、両端に、一対の腕部の端部を取り付け、一対の腕部を所定の間隔で保持する基端部と、を有している。【選択図】      図６
2016004618.tif 000002
【特許請求の範囲】
【請求項１】
メディアカードを収容し、収容された前記メディアカードが有するカード端子に接続するコネクタ端子を有する収容部と、
前記収容部内に設けられ、前記収容部に収容された前記メディアカードを保持する固定部材とを備え、
前記固定部材は、
前記収容部に収容された前記メディアカードの互いに対向した２つの面のそれぞれの面に対峙した一対の腕部と、
両端に、前記一対の腕部の端部を取り付け、前記一対の腕部を所定の間隔で保持する基端部と、を有しているカードコネクタ。
【請求項２】
前記腕部は、温度の上昇により形状が変化し、変形した前記腕部で、前記メディアカードを挟持する請求項１に記載のカードコネクタ。
【請求項３】
前記腕部は、温度上昇により変形する押圧部材を有し、温度の上昇に伴い変形する前記押圧部材で前記メディアカードを挟持する請求項１に記載のカードコネクタ。
【請求項４】
前記基端部は、温度の上昇により、前記一対の腕部の間隔を狭めるように形状が変化し、前記基端部により変位した前記腕部で前記メディアカードを挟持する請求項１に記載のカードコネクタ。
【請求項５】
前記基端部は、前記収容部内に収容された前記メディアカードに接する当接部を有し、前記当接部が前記収容部内に収容された前記メディアカードで押圧されると前記基端部が変形し、前記基端部の変形に伴って変位した前記腕部により前記メディアカードを挟持する請求項１に記載のカードコネクタ。
【請求項６】
前記腕部は、前記収容部に収容される前記メディアカードの幅方向に互いに対向した２つの面に対峙して設けられている請求項１から５のいずれか１項に記載のカードコネクタ。
【請求項７】
前記腕部は、前記収容部に収容される前記メディアカードの厚み方向に互いに対向した２つの面に対峙して設けられている請求項１から５のいずれか１項に記載のカードコネクタ。
【請求項８】
前記腕部は、前記メディアカードの対向した２つの面に接する部分に、前記２つの面との摩擦係数を増加させる凹凸部を備えている請求項１から７のいずれか１項に記載のカードコネクタ。
【請求項９】
前記固定部材は、前記基端部と、前記基端部の両端に設けられた前記一対の腕部とによりコの字状の形状を有している請求項１から８のいずれか１項に記載のカードコネクタ。
【請求項１０】
請求項１から９のいずれか１項に記載のカードコネクタを装備した電子機器。
【発明の詳細な説明】
【技術分野】
【０００１】
本発明の実施形態は、カードコネクタ及び電子機器に関する。
【背景技術】
【０００２】
デジタル衛星放送、地上デジタルテレビ放送、１１０度ＣＳデジタル放送などの各種のデジタル放送を受信するテレビやチューナ、セットトップボックスなどの電子機器には、デジタルデータの受信者を限定するために、例えばＢ−ＣＡＳカード（ＢＳ  Ｃｏｎｄｉｔｉｏｎａｌ  Ａｃｃｅｓｓ  Ｓｙｓｔｅｍｓ  Ｃａｒｄ）などのデジタル放送受信用カードを出し入れ可能に収容するカードコネクタが設けられている。
【０００３】
カードコネクタは、例えば、合成樹脂製の基台と基台上を覆うように設けられた金属製のカバー部材とから形成され、収容したデジタル放送受信用カードをカードコネクタ内に保持するとともに、カードを更にカードコネクタの奥に押し込むと保持状態が解除され、収容したカードの抜き出しが可能となるものがある。
【０００４】
テレビなどの電子機器の内部には、発熱する部品が設けられている。カードコネクタは、電子機器がオンとオフとを繰り返すのに伴って加熱と冷却が繰り返し行われ、熱膨張率の差により、カードをカードコネクタの外に徐々に押し出す力が作用する。すると、収納されたカードの接点とカードコネクタの接点とが離れ、カード未装着と認識されてしまうことが考えられている。
【先行技術文献】
【特許文献】
【０００５】
【特許文献１】特表２００２−５２２８７４号公報
【特許文献２】特開２００４−１４１９０号公報
【発明の概要】
【発明が解決しようとする課題】
【０００６】
解決しようとする課題は、温度変動が繰り返されることにより、カードコネクタからカードが抜け出る不具合を防止することである。
【課題を解決するための手段】
【０００７】
一実施形態において、カードコネクタは、メディアカードを収容し、収容された前記メディアカードが有するカード端子に接続するコネクタ端子を有する収容部と、前記収容部内に設けられ、前記収容部に収容された前記メディアカードを保持する固定部材とを備えている。そして、前記固定部材は、前記収容部に収容された前記メディアカードの互いに対向した２つの面のそれぞれの面に対峙した一対の腕部と、両端に、前記一対の腕部の端部を取り付け、前記一対の腕部を所定の間隔で保持する基端部と、を有している。
【図面の簡単な説明】
【０００８】
【図１】一実施形態に係るＢ−ＣＡＳカード用カードコネクタを搭載したテレビを背面側から示す斜視図。
【図２】同テレビのＢ−ＣＡＳカード用コネクタにＢ−ＣＡＳカードを挿入する状態を拡大して示す斜視図。
【図３】同Ｂ−ＣＡＳカードを端子部側から示す平面図。
【図４】同Ｂ−ＣＡＳカードを、同Ｂ−ＣＡＳカードの挿し入れ方向に沿って見た状態を示す側面図。
【図５】一実施形態に係るＢ−ＣＡＳカード用カードコネクタとＢ−ＣＡＳカードとを示す斜視図。
【図６】同Ｂ−ＣＡＳカード用カードコネクタを各構成要素に分解して示す分解斜視図。
【図７】同Ｂ−ＣＡＳカード用カードコネクタに備えられている固定部材を示す斜視図。
【図８】同固定部材の他の例を示す斜視図。
【図９】固定部材の他の例を示す斜視図。
【図１０】固定部材の他の例とＢ−ＣＡＳカードとを示す斜視図。
【図１１】固定部材の他の例とＢ−ＣＡＳカードとを示す斜視図。
【図１２】他の例の固定部材が、Ｂ−ＣＡＳカード用カードコネクタに挿入されたＢ−ＣＡＳカードを保持している状態を示す斜視図。
【図１３】固定部材の他の例を示す斜視図。
【図１４】固定部材の他の例とＢ−ＣＡＳカードとを示す斜視図。
【図１５】固定部材の他の例とＢ−ＣＡＳカードとを示す斜視図。
【発明を実施するための形態】
【０００９】
以下、カードコネクタの実施形態について、図面を参照して説明する。図１および図２には、電子機器の一例として、デジタル衛星放送、地上デジタルテレビ放送、１１０度ＣＳデジタル放送などの各種のデジタル放送を受信可能なテレビジョン受信装置（以下、「テレビ」と称する）１０が示されている。テレビ１０は、図示しない表示部品が組み込まれた筐体１２、筐体１２を支持するスタンド１４と、を有している。
【００１０】
表示部品としては、例えば、液晶ディスプレイ（ＬＣＤ）、プラズマディスプレイ、有機ＥＬディスプレイのような静止画や動画などの各種画像を表示するパネル部品が用いられる。筐体１２は、例えば合成樹脂によって薄型の箱形状に成形されている。スタンド１４は、筐体１２の背面側を支持するように設けられ、筐体１２の向きや高さを調整可能に構成されている。スタンド１４で筐体１２を支持することで、筐体１２に組み込まれた表示部品の向きや高さを調整することができる。
【００１１】
筐体１２には、図２にも示すように、一方の側面にカードスロット１６が設けられている。カードスロット１６は、デジタル放送の受信者を限定するためのデジタル放送受信用カードを挿入・抜出可能に構成されている。デジタル放送受信用カードとしては、例えばＢ−ＣＡＳカードなどのＩＣカードを適用することができる。
【００１２】
Ｂ−ＣＡＳカードは、デジタル放送関連業者の共同出資により設立された株式会社ビーエス・コンディショナルアクセスシステムズ（以下、「Ｂ−ＣＡＳ社」と称する）によって開発・発行され、統一規格として日本国内で標準化されている。Ｂ−ＣＡＳカードを差し替えることで、別のテレビでも同様のデジタル放送を受信することができる。
【００１３】
図３および図４には、メディアカードとしてのＢ−ＣＡＳカード２０（以下、［カード２０」と称する）の標準規格が示されている。カード２０は、先端隅部が斜めに切り欠かれ、一方の表面には、カード２０の固有識別番号が印字される領域２０ｓが、他方の表面には、８個のカード端子Ｅ１〜Ｅ８からなるカード端子部２０ｔが形成されている。カード２０は、横幅がＷ、長さがＬ、厚み幅がＴである。
【００１４】
<第１実施形態>
図５および図６には、本実施形態に係るカードコネクタ２２が示されている。カードコネクタ２２は、プリント基板４０に実装されたベース２４と、ベース２４を覆うように取り付けられたカバー２６と、固定部材２８とを備えている。カードコネクタ２２の一端側には、ベース２４とカバー２６とで囲まれたカード挿入抜出用開口３０が構成されている。矢印Ｐでカード２０の挿入方向を示す。
【００１５】
テレビ１０の筐体１２において、カードコネクタ２２は、カード挿入抜出用開口３０がカードスロット１６（図１および図２参照）に対向するように配置されている。カードスロット１６にカード２０を投入することで、カード２０を、カード挿入抜出用開口３０を介してカードコネクタ２２に抜き出し可能に挿入することができる。
【００１６】
ベース２４は、合成樹脂製で、ベース底板３２と、ベース底板３２の、カード２０の挿入・抜出し方向（矢印Ｐと平行）に対して左右両側に設けられた側板３４と、ベース底板３２の、カード２０の挿入・抜出し方向に対して奥側に設けられた裏板３６とを備えている。
【００１７】
ベース底板３２は、平坦に形成された部材である。ベース底板３２には、８個のコネクタ端子Ｇ１〜Ｇ８から成るコネクタ端子部４２が設けられている。８個のコネクタ端子Ｇ１〜Ｇ８は、カード２０がカードコネクタ２２に収容された際に、カード２０に形成された８個のカード端子Ｅ１〜Ｅ８と１つずつ接触するように配列されている。各コネクタ端子Ｇ１〜Ｇ８は、ベース底板３２から立ち上げられた姿勢に構成されており、各カード端子Ｅ１〜Ｅ８に対して弾性的に接触する。各コネクタ端子Ｇ１〜Ｇ８は、プリント基板４０に施された各配線に接続している。
【００１８】
側板３４は、ベース底板３２の両側に、基本的に平行に立ち上げられている。左右の側板３４は、カード２０の横幅Ｗより、若干広い横幅間隔を有し、カード２０の厚み幅Ｔより若干大きい高さを有している。
【００１９】
又、一方の側板３４には、カード２０を、カードコネクタ２２の内部に挿入された状態で保持し、かつ内部に保持された状態からカードコネクタ２２の外に押し出す保持押出機構３８が設けられている。保持押出機構３８は、カードコネクタ２２の内部に挿入された状態のカード２０を保持するとともに、カード２０を更に奥に一度押し込むと、カードコネクタ２２の外にそのカード２０を押し出すように作用する。
【００２０】
カバー２６は、金属製で、天板部４４と、天板部４４の両側に設けられた側板４６とを備えている。カバー２６は、天板部４４と側板４６により、ベース２４を上から覆うように形成されている。側板４６には、カバー２６をベース２４に係合させる、図示しない係合部が設けられている。ベース２４とカバー２６とにより形成された内部空間がカードコネクタ２２の収容部である。
【００２１】
次に、固定部材２８について説明する。固定部材２８は、図６、図７に示すように、基端部５０と基端部５０に設けられた腕部５２とを備え、収容部内に設けられている。固定部材２８は、基端部５０と腕部５２により、概ねコの字状に形成されている。基端部５０は、薄板状で、カードコネクタ２２のベース２４の内部寸法とほぼ同じ長さの横幅ａに形成されている。基端部５０両側には、腕部５２が設けられている。
【００２２】
腕部５２は、基端部５０の両端に、基端部５０に対してほぼ垂直な角度で設けられている。腕部５２は、カードコネクタ２２のカード２０の挿入・抜出し方向に沿った方向に、カードコネクタ２２の奥行寸法より若干短い長さｂを有している。
【００２３】
一対の腕部５２は、ほぼ平行に形成されている。腕部５２は、カードコネクタ２２に挿し入れられたカード２０の幅方向に対向する面に対峙して設けられている。腕部５２は、カード２０に対峙した面に、凹凸部５４を有している。凹凸部５４は、カード２０に接触したときカード２０の表面との摩擦係数を増加させる。尚、凹凸部５４の摩擦力は、カードコネクタ２２からカード２０を抜き出す際には、カード２０を支障なく抜き出すことができる程度の大きさである。凹凸部５４は、例えば複数の凸部や、カード２０の挿入・抜出し方向に対して垂直に形成された複数の溝部や、カード２０の挿入・抜出し方向に対して傾斜して形成された溝部等で形成されている。
【００２４】
腕部５２は、バイメタルで形成されている。バイメタルは、熱膨張率の異なる素材、例えば鉄とニッケルどおしを張り合わせ、温度変化に伴い、熱膨張率の差を利用してその形状が変化するものである。左右一対の腕部５２は、常温（４０度程度まで）の状態では、図６に示すように互いにほぼ平行な状態を保っている。腕部５２は、温度が上昇すると変形し、図７に示すように腕部５２間の間隔ｃが、図６に示す常温の状態のときと比較して短く、つまり狭くなる。
【００２５】
腕部５２の変形開始温度は、テレビ１０が作動して、テレビ１０の内部の部品の発熱によりテレビ１０の内部の温度が通常達するとされる温度より低い温度に設定されている。又、腕部５２の変形開始温度は、後述する、温度上昇によりカード２０がカードコネクタ２２の外に押し出される作用が発生する温度より低い温度である。尚、腕部５２では凸形状を形成させ、常温の状態において、カード２０の寸法公差の値で腕部５２がカード２０に接触している状態が好ましい。
【００２６】
テレビ１０の内部温度が上昇し、それに伴いカードコネクタ２２の温度が、変形開始温度に達して、腕部５２が変形すると、固定部材２８は、カード２０を所定の力で挟む。固定部材２８は、基端部５０と腕部５２との交点を支点Ｘとして、腕部５２の先端部分を作用点Ｙとして作用する。このように固定部材２８をコの字状に形成することにより、支点Ｘから作用点Ｙまでの距離を大きくとることができ、てこの原理で、腕部５２の作用力を増大させることができる。
【００２７】
腕部５２がカード２０を挟持する力は、カードコネクタ２２が、カードコネクタ２２の温度変動でカード２０をカードコネクタ２２の外に押し出す力に対抗して、カード２０をカードコネクタ２２の所定の位置を保持固定させるに十分な力である。
【００２８】
次に、カードコネクタ２２が、カードコネクタ２２の温度変動の繰り返しにより、カードコネクタ２２の外方にカード２０を押し出す作用について簡単に説明する。カードコネクタ２２は、上述したように、合成樹脂製のベース２４と金属製のカバー２６とを組み合わせた構成を有している。
【００２９】
熱膨張率は、一般的に合成樹脂の方が金属より大きい値を有している。テレビ１０が作動し、テレビ１０の内部の部品から発熱すると、テレビ１０の内部温度が上昇し、それに伴いカードコネクタ２２の温度が上昇する。すると、合成樹脂製のベース２４は、金属製のカバー２６より大きく膨張する。
【００３０】
ベース２４が温度上昇により膨張すると、ベース底板３２と側板３４とカバー２６とで形成されるカードコネクタ２２の収容部の内部空間が狭められる。これは、カードコネクタ２２に収容されたカード２０において、ベース２４に締め付けられるように作用する。
【００３１】
更に、ベース２４の熱膨張は、カード２０の挿入・抜出し方向にも生じる。カード２０の挿入・抜出し方向へのベース２４の熱膨張は、カード２０の挿入方向Ｐの奥に裏板３６が設けられていることから、カードコネクタ２２に収容されているカード２０を、カードコネクタ２２の内部からカード挿入抜出用開口３０の外に押し出す方向に作用する。このように、締め付け力と押し出し力がカード２０に作用すると考えられている。
【００３２】
一方テレビ１０の作動が停止し、テレビ１０の内部温度が低下すると、カードコネクタ２２は、温度上昇で膨張していた分、収縮を開始する。カードコネクタ２２が収縮すると、カードコネクタ２２の内部の収容部の空間が外方に広がり、ベース２４によるカード２０への締付力が低下する。そのうえで、ベース２４は、カード２０の挿し入れ方向に収縮する。
【００３３】
そのため、温度低下によりカードコネクタ２２が収縮する場合には、カード２０を締め付ける力が作用しないことからカード２０をカードコネクタ２２の内部の方向に引き込む力が発揮されず、カード２０は、カードコネクタ２２の温度上昇によりカードコネクタ２２の外方に押し出された状態のままに置かれる。
【００３４】
このようにテレビ１０の作動と停止の操作を繰り返し行うことで、カード２０は、温度変動ごとに毎回カードコネクタ２２からカードコネクタ２２の外方に押し出される。そして、固定部材２８がないと仮定した場合、カード２０がカードコネクタ２２の外方に押し出される動作が蓄積されることにより、カード２０のカード端子Ｅ１等がカードコネクタ２２のコネクタ端子Ｇ１等との接触から外れることが発生する。
【００３５】
これに対して本実施形態のカードコネクタ２２は、ベース２４の内側に、バイメタルで形成された腕部５２を備えた固定部材２８を備えている。そのため、テレビ１０の作動に伴い、カードコネクタ２２の温度が上昇すると腕部５２に図７の矢印Ａに示す方向に形状変化が生じる。
【００３６】
腕部５２の形状変化は、カードコネクタ２２に収容されたカード２０を両側から挟み、カード２０を保持固定するので、カードコネクタ２２の温度上昇によってカード２０がカードコネクタ２２の外に押し出される力が作用しても、カード２０の移動を防止できる。
【００３７】
そして、テレビ１０の作動が停止されテレビ１０の内部温度が低下すると、腕部５２は、温度上昇により変化する前の形状に復元して、カード２０の固定が解除される。温度低下により固定部材２８の腕部５２によるカード２０の固定が解除されても、カード２０をカードコネクタ２２の外方に押し出す力も解消されているので、カード２０は、カードコネクタ２２の本来の位置に配置された状態に保持される。
【００３８】
そして、使用者等がカードスロット１６からカード２０を抜き出そうとした場合は、温度低下により腕部５２によるカード２０の固定は解除されているので、通常のカード２０の抜出操作と変わりなく、カードコネクタ２２からカード２０を抜き出すことができる。
【００３９】
したがって、カードコネクタ２２を装着した電子機器としてのテレビ１０によれば、カードコネクタ２２に収容したカード２０が温度変動により抜け出ることがなく、Ｂ−ＣＡＳカード２０が未装着とされる不具合を防止できる。
【００４０】
<第２実施形態>
次に、第２実施形態のカードコネクタについて説明する。第２実施形態のカードコネクタは、ベース２４の内側に、図８に示す固定部材２８ｂを備えている。第２実施形態のカードコネクタのカバーとベースは、第１実施形態のカバー２６及びベース２４と同一で、第２実施形態のカードコネクタは第１実施形態と同様、テレビ１０に装備されている。第１実施形態のカードコネクタ２２の部材と同一の部材については、同一の符号を付してその説明を省略する。
【００４１】
固定部材２８ｂは、基端部５０ｂと腕部５２ｂとを備えている。固定部材２８ｂは、第１実施形態の固定部材２８と同様、基端部５０ｂと腕部５２ｂとによりコの字状に形成されている。腕部５２ｂは、形状記憶合金から形成されている。
【００４２】
腕部５２ｂは、温度が上昇すると、矢印Ａ２に示す方向に変形し、腕部５２ｂの互いの間隔ｃが、図８の二点鎖線で示すように狭められるように記憶されている。
【００４３】
このように構成した第２実施形態のカードコネクタは、テレビ１０が作動して内部温度の上昇によりカードコネクタの温度が上昇すると、腕部５２ｂが形状記憶の作用により形状が変化し、カードコネクタ２２内に収容されたカード２０を両側から挟む。
【００４４】
第２実施形態のカードコネクタは、テレビ１０の内部の温度が上昇して固定部材２８ｂの温度が上昇すると、腕部５２ｂの間隔ｃが狭められ、固定部材２８ｂがカード２０の位置を保持し固定する。したがって、第２実施形態のカードコネクタは、温度が変動することによるカードコネクタからのカード２０の抜け出しを防止できる。又、温度が低下すると、変形は復元され、カード２０の固定は解除される。
【００４５】
<第３実施形態>
次に、第３の実施形態のカードコネクタについて説明する。第３の実施形態のカードコネクタの固定部材２８ｃは、図９に示すように基端部５０ｃと腕部５２ｃとを有している。尚、第１実施形態のカードコネクタ２２の部材と同一の部材については、同一の符号を付してその説明を省略する。
【００４６】
図９に示すように、固定部材２８ｃの基端部５０ｃは、板状に形成してあり、その両端に腕部５２ｃが取り付けられている。基端部５０ｃは、蛇腹状に繰り返し折り曲げられた形状を有している。そして、基端部５０ｃは、形状記憶合金で形成され、常温の状態での折り曲げ状態より、蛇腹がより強く折り曲げられた形状が記憶されている。
【００４７】
テレビ１０の内部温度が上昇し、固定部材２８ｃの温度が形状記憶合金の変形開始温度に達すると、基端部５０ｃの屈曲形状が強くなり、腕部５２ｃが取り付けられている基端部５０ｃの両端間の間隔が矢印Ａ３に示す方向に短くなる。
【００４８】
基端部５０ｃが、記憶された形状への変位により両端間の距離が収縮されると、両腕部５２ｃの間隔も縮小される。これにより、第３実施形態のカードコネクタは、テレビ１０の内部の温度が上昇するのに伴い温度が上昇すると、一対の腕部５２ｃ間の間隔が縮まり、第３実施形態のカードコネクタに収容されているカード２０を保持固定する。したがって、カードコネクタからカード２０が抜出方向に移動することを防止できる。
【００４９】
一方、第３実施形態のカードコネクタの温度が低下すると、基端部５０ｃが、変形前の形状に戻り、腕部５２ｃ間の間隔が拡大し、固定部材２８ｃによるカード２０の固定が解除される。尚、腕部５２ｃは、常温の状態では平板状で、曲げられた形状が記憶されていてもよい。
【００５０】
<第４実施形態>
次に、第４実施形態のカードコネクタについて説明する。第４実施形態のカードコネクタの固定部材２８ｄは、図１０に示すように、基端部５０ｄと腕部５２ｄとを備えている。尚、第１実施形態のカードコネクタ２２の部材と同一の部材については、同一の符号を付して説明を省略する。
【００５１】
腕部５２ｄは、形状記憶合金から形成されている。腕部５２ｄは、常温状態では直線状の形状を有している。そして、腕部５２ｄには、図１０に示すように腕部５２ｄの長手方向の中央部分Ｒが矢印Ａ４に示すように、一対の腕部５２ｄの内側に変形する形状が記憶されている。
【００５２】
第４実施形態のカードコネクタは、テレビ１０の内部の温度上昇により、固定部材２８ｄの温度が上昇すると、腕部５２ｄの中央部分Ｒが内側に湾曲変形してカード２０を固定する。これにより、第４実施形態のカードコネクタは、収容されたカード２０を保持固定する。
【００５３】
更に、第４実施形態のカードコネクタは、固定部材２８ｄの腕部５２ｄの先端の間隔ｃが、温度上昇により変形する前とほとんど変化が生じない。したがって、第４実施形態のカードコネクタは、例えば、テレビ１０の内部温度が上昇しているときに、カード２０をカードスロット１６から抜き出し、再びカード２０を、第４実施形態のカードコネクタの温度が低下する前にカードスロット１６に挿入しても、腕部５２ｄの間を通して、第４実施形態のカードコネクタに容易に収容させることができる。
【００５４】
<第５実施形態>
次に、第５実施形態のカードコネクタ２２ｅについて説明する。第５実施形態のカードコネクタ２２ｅの固定部材２８ｅは、図１１に示すように、腕部５２ｅと基端部５０ｅと当接部としての押圧部材５１とを備えている。尚、第１実施形態のカードコネクタ２２の部材と同一の部材については、同一の符号を付して説明を省略する。
【００５５】
腕部５２ｅは、基端部５０ｅの両側に一対設けられている。基端部５０ｅは、弾性を有する材質から形成されている。押圧部材５１は、基端部５０ｅの左右方向のほぼ中央に、カードコネクタ２２ｅのカード２０の挿入、抜差し方向に沿って、カード挿入抜出用開口３０に向けて突出するように取り付けられている。
【００５６】
第５実施形態のカードコネクタ２２ｅは、カードコネクタ２２ｅに図１１に示すようにカード２０を挿入すると、カードコネクタ２２ｅが本来有するカード２０の収容位置にカード２０が達する前に、カード２０の挿入方向先端が押圧部材５１に当接する。そして、カード２０を更にカードコネクタ２２ｅの奥に押し入れると、押圧部材５１が奥に後退しつつ基端部５０ｅを弾性変形させる。これにより、図１２に示すように、カード２０がカードコネクタ２２ｅの本来の収容位置に収容される。
【００５７】
一方基端部５０ｅは、押圧部材５１を介して基端部５０ｅのほぼ中央が、カードコネクタ２２ｅの奥に押し込まれるように変形するので、基端部５０ｅの両側に設けられている腕部５２ｅを、図１２の矢印Ａ５に示すようにそれぞれの腕部５２ｅの内側に変位させる。腕部５２ｅは、適度の剛性を有する材質から形成されており、基端部５０ｅが押圧部材５１の押圧により変形されて腕部５２ｅが変位すると、カード２０は腕部５２ｅにより保持固定される。
【００５８】
カード２０は、カードコネクタ２２ｅ内に収容されている間は、常に腕部５２ｅに固定され、カードコネクタ２２ｅの温度変動によってもカードコネクタ２２ｅから抜け出る方向に移動することはない。そして、カードコネクタ２２ｅからカード２０を抜き出すと、押圧部材５１による基端部５０ｄへの押圧が低減し、それと同時に腕部５２ｅでのカード２０の固定力が弱められるので、カード２０をカードコネクタ２２ｅから円滑に抜き出すことができる。
【００５９】
<第６実施形態>
次に、第６実施形態のカードコネクタについて説明する。第６実施形態のカードコネクタの固定部材２８ｆは、図１３に示すように、基端部５０ｆと腕部５２ｆとを備え、第１実施形態の固定部材２８と同様、コの字状に形成されている。尚、第１実施形態のカードコネクタ２２の部材と同一の部材については、同一の符号を付してその説明を省略する。
【００６０】
固定部材２８ｆの腕部５２ｆの先端部内側には、押圧部材６０が設けられている。押圧部材６０は、バイメタルで形成され、温度が上昇することにより矢印Ａ６の方向に変形する。押圧部材６０の変形は、腕部５２ｆの互いの間隔を狭めることとなる。
【００６１】
第６実施形態のカードコネクタは、テレビ１０の内部温度が上昇して第６実施形態のカードコネクタの温度が上昇すると、バイメタルで形成した押圧部材６０の形状が変化し、カード２０を両側から挟んで保持固定する。
【００６２】
このように、第６実施形態のカードコネクタは、テレビ１０の内部の温度が上昇して第６実施形態のカードコネクタの温度が上昇すると、固定部材２８ｆがカード２０の位置を固定するので、第６実施形態のカードコネクタからのカード２０の抜け出しを防止できる。尚、押圧部材６０は、バイメタルでなく、温度上昇により膨張し、腕部５２ｆの互いの間隔を狭める部材でも形状記憶合金を用いてもよい。
【００６３】
<第７実施形態>
次に、第７実施形態のカードコネクタ２２ｇについて説明する。カードコネクタ２２ｇは、図１４に示すように、ベース２４と、図示しないカバー２６と、固定部材２８ｇとを備えている。尚、第１実施形態のカードコネクタ２２の部材と同一の部材については、同一の符号を付してその説明を省略する。
【００６４】
固定部材２８ｇは、基端部５０ｇと腕部５２ｇとを備えている。固定部材２８ｇは、カードコネクタ２２ｇに収容されるカード２０の厚み幅Ｔの方向に一対の腕部５２ｇを備えている。腕部５２ｇは、基端部５０ｇで連結され、固定部材２８ｇは、コの字状に形成されている。基端部５０ｇは、一方の側板３４に取り付けられている。腕部５２ｇは、カード２０の挿入・抜出し方向と直交する方向に沿って設けられている。
【００６５】
腕部５２ｇは、バイメタルで形成され、腕部５２ｇの温度が上昇すると、腕部５２ｇ間の間隔が狭められる方向に形状が変化する。固定部材２８ｇは、カードコネクタ２２ｇに収容されたカード２０のカード端子Ｅ１等の位置を避け、カード端子Ｅ１等がカードコネクタ２２ｇのコネクタ端子Ｇ１等に接触するように設けられている。
【００６６】
かかる第７実施形態のカードコネクタ２２ｇは、カードコネクタ２２ｇにカード２０を収容させると、腕部５２ｇがカード２０を厚み幅Ｔの方向に沿って挟む。そしてカードコネクタ２２ｇの温度が上昇すると、腕部５２ｇの形状が変化してカード２０を厚み方向から挟んで保持固定する。これにより、カードコネクタ２２ｇからのカード２０の抜け出しを防止できる。
【００６７】
<第８実施形態>
次に、第８の実施形態のカードコネクタ２２ｈについて説明する。カードコネクタ２２ｈは、図１５に示すように、ベース２４と、図示しないカバー２６と、固定部材２８ｈとを備えている。尚、第１実施形態のカードコネクタ２２の部材と同一の部材については、同一の符号を付してその説明を省略する。
【００６８】
固定部材２８ｈは、基端部５０ｈと腕部５２ｈとを備え、コの字状に形成されている。固定部材２８ｈは、カードコネクタ２２ｈに収容されるカード２０の厚み幅Ｔの方向に一対の腕部５２ｈを備えている。腕部５２ｈは、基端部５０ｈで連結されている。基端部５０ｈは、裏板３６に取り付けられている。腕部５２ｈは、カード２０の挿入・抜出し方向に沿って設けられている。
【００６９】
腕部５２ｈは、バイメタルで形成され、腕部５２ｈの温度が上昇すると、腕部５２ｈ間の間隔が狭められる方向に形状が変化する。固定部材２８ｈは、カードコネクタ２２ｈに収容されたカード２０のカード端子Ｅ１等の位置を避け、カード端子Ｅ１等がカードコネクタ２２ｇのコネクタ端子Ｇ１等に接触するように設けられている。
【００７０】
かかる第８実施形態のカードコネクタ２２ｈは、カードコネクタ２２ｈにカード２０を収容させると、腕部５２ｈがカード２０を厚み幅Ｔの方向に沿って挟む。そしてカードコネクタ２２ｈの温度が上昇すると、腕部５２ｈの形状が変化してカード２０を厚み方向から挟んで保持固定する。これにより、カードコネクタ２２ｈからのカード２０の抜け出しを防止できる。
【００７１】
尚、前記各実施形態において、腕部５２は、一対の腕部５２の双方が温度変化に対して同様に形状変化するのが、カード２０への力のかかり方が均等になる点から好ましい。しかし、一対の腕部５２の一方の腕部５２にのみ形状の変化を生じさせるようにし、温度変化等によりその一方の腕部の形状を変化させて、カード２０を双方の腕部５２により挟み、保持固定するようにしてもよい。又、腕部５２とベース２４とでカード２０を挟むようにしてもよい。又、腕部５２には、バイメタルに限らず、形状記憶合金やその他の材料を用いてもよい。
【００７２】
又、本実施形態は、メディアカードとしてＢ−ＣＡＳカードに限らず、データ保存メディアとしてのカード型記憶媒体を含み、ＩＣカード全般に用いてもよい。又、カードコネクタを用いる電子機器は、テレビに限らず、ＩＣカードやカードコネクタを用いてカード類を内部に収容する機器であれば、他の電子機器に用いてもよい。
【００７３】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１０…テレビ、１６…カードスロット、２０…カード、２２…カードコネクタ、２４…ベース、２６…カバー、２８…固定部材、３０…カード挿入抜出用開口、３２…ベース底板、３４…側板、３６…裏板、４０…プリント基板、５０…基端部、５１…押圧部材、５２…腕部、５４…凹凸部、６０…押圧部材
【図１】
2016004618.tif 000003
【図２】
2016004618.tif 000004
【図３】
2016004618.tif 000005
【図４】
2016004618.tif 000006
【図５】
2016004618.tif 000007
【図６】
2016004618.tif 000008
【図７】
2016004618.tif 000009
【図８】
2016004618.tif 000010
【図９】
2016004618.tif 000011
【図１０】
2016004618.tif 000012
【図１１】
2016004618.tif 000013
【図１２】
2016004618.tif 000014
【図１３】
2016004618.tif 000015
【図１４】
2016004618.tif 000016
【図１５】
2016004618.tif 000017